(57)【特許請求の範囲】
【請求項１】
上下方向に延びる第１流路と、前記第１流路の上方において前記第１流路に交差する方向に延びる第２流路と、前記第１流路の上方に形成される開口部と、を有する本体と、
前記本体の前記開口部に配置されると共に、前記第１流路と前記第２流路とを連通し且つ前記開口部を閉鎖する第１位置と、前記第１流路が前記開口部を介して大気に開放される第２位置と、の間を移動可能な流路切換部材と、
前記流路切換部材を前記第１位置と前記第２位置との間を移動可能に保持する保持部材と、
前記流路切換部材と前記開口部との間の隙間を通して溢れる溢れ水を外部に導出する導出口を有し、前記本体に対して回転可能に前記本体または前記保持部材に取り付けられる溢れ水導出部材と、を備え、
前記保持部材には、前記溢れ水導出部材の上端と隙間を開けて対向するように、蓋体が取り付けられており、
前記溢れ水導出部材は、該溢れ水導出部材が上方へ移動した際、前記蓋体と当接して上方への移動が規制されるバキュームブレーカ。
【請求項２】
前記保持部材と前記溢れ水導出部材との間に配置されるシール部材を更に備え、
前記溢れ水導出部材は、前記シール部材により前記保持部材との密閉状態を保持した状態で前記本体に対して回転可能に前記保持部材に接続される請求項１に記載のバキュームブレーカ。
【請求項３】
ボウル部と、前記ボウル部に向けて水が吐出される吐水口と、
前記吐水口に接続され、前記吐水口に向けて水が流通する吐水流路と、
前記吐水流路を開閉可能な開閉機構と、
前記吐水流路における前記開閉機構と前記吐水口との間に配置される請求項１又は２に記載のバキュームブレーカと、を備える汚物流しユニット。
【請求項４】
水を受け入れる受入口を有するタンクと、
前記導出口に接続されると共に、前記受入口に向けて延びる管状の第１溢れ水導出流路と、を備える請求項３に記載の汚物流しユニット。
【請求項５】
電気温水器と、
前記電気温水器の膨張水を排出する膨張水排出流路と、
前記導出口から導出される溢れ水が流通する第２溢れ水導出流路と、
前記膨張水排出流路を流通する膨張水と前記第２溢れ水導出流路を流通する溢れ水とが合流して流通する合流排出流路と、
前記合流排出流路の下流側に接続される排水トラップと、を備える請求項３に記載の汚物流しユニット。
【発明の詳細な説明】
【技術分野】
【０００１】
本発明は、バキュームブレーカ及びこれを備える汚物流しユニットに関する。
【背景技術】
【０００２】
直腸がんや膀胱がん、或いは、事故等により、臓器に機能障害を負い、腹部に人工的に排泄のためのストーマ（腹部に造設された排泄口）を造設した人は一般にオストメイトと呼ばれる。オストメイトにとって、日常の排泄行為には様々な苦労がある。近年、オストメイトがパウチ（ストーマからの便や尿を受ける袋）に溜めた便等の排泄物を円滑に流したり、ストーマを洗浄したりすることができる汚物流しユニットが公共施設の多目的室内等に設置されるに至っている。
【０００３】
上述のような汚物流しユニット等は、一般的に、ホース付きの吐水管と、吐水管から吐水された水を受ける洗面ボウル部と、を備え、ホース付きの吐水管は、引き出し可能に構成される。
【０００４】
ところで、給水の上流側流路において配管工事が行われた場合に、給水の上流側流路が負圧となることがある。この場合に、ホース付きの吐水管が洗面ボウル部に溜まった水に没していると、洗面ボウル部に溜まった水が吐水管の吐水口及びホースを通して給水の上流側流路に逆流するおそれがあった。そのため、給水の上流側流路が負圧となった場合に、洗面ボウル部に溜まった水が吐水管の吐水口及びホースを通して給水の上流側流路に逆流することを防止するために、給水の流路にバキュームブレーカを設ける技術が知られている（例えば、特許文献１参照）。
【０００５】
従来のバキュームブレーカは、給水時に水圧で吐水口側に水を供給し、給水の上流側流路が負圧となったときに負圧を解消するために上流側流路を大気に開放するように構成されている。また、特許文献１に記載の流しユニットに用いられるバキュームブレーカにおいては、操作ハンドルが途中まで開かれた場合は、上流側流路を大気に開放するための空気取り入れ口側に水が溢れて溢れ水となる。そのため、特許文献１に記載のバキュームブレーカは、導出口を介して溢れ水を外部に導出するように構成されている。
【先行技術文献】
【特許文献】
【０００６】
【特許文献１】特開２００９−５２３３７号公報
【発明の概要】
【発明が解決しようとする課題】
【０００７】
ここで、バキュームブレーカを備える汚物流しユニット等において、製品の仕様等により、汚物流しユニットを構成する各構成部材の配置が異なる場合がある。この場合には、バキュームブレーカを配置するスペースが制限されて、製品の仕様等に応じて、バキュームブレーカの配置を異ならせる必要性がある。
【０００８】
溢れ水が導出口を介して外部に導出される特許文献１に記載のバキュームブレーカにおいては、溢れ水が導出される導出口の向きは固定されている。そのため、バキュームブレーカを流しに設置する場合に、バキュームブレーカを配置するスペースが制限されて、導出口に接続される排出流路を迂回させる必要性が生じたり、バキュームブレーカを配置する位置が制限されてしまう可能性がある。従って、溢れ水を外部に導出する導出口を有するバキュームブレーカにおいて、バキュームブレーカの配置の自由度が制限される可能性がある。
【０００９】
本発明は、溢れ水を外部に導出する導出口を有するバキュームブレーカにおいて、配置の自由度を向上できるバキュームブレーカを提供することを目的とする。
【課題を解決するための手段】
【００１０】
本発明は、上下方向に延びる第１流路と、前記第１流路の上方において前記第１流路に交差する方向に延びる第２流路と、前記第１流路の上方に形成される開口部と、を有する本体と、前記本体の前記開口部に配置されると共に、前記第１流路と前記第２流路とを連通し且つ前記開口部を閉鎖する第１位置と、前記第１流路が前記開口部を介して大気に開放される第２位置と、の間を移動可能な流路切換部材と、前記流路切換部材を前記第１位置と前記第２位置との間を移動可能に保持する保持部材と、前記流路切換部材と前記開口部との間の隙間を通して溢れる溢れ水を外部に導出する導出口を有し、前記本体に対して回転可能に前記本体または前記保持部材に取り付けられる溢れ水導出部材と、を備えるバキュームブレーカに関する。
【００１１】
また、前記保持部材と前記溢れ水導出部材との間に配置されるシール部材を更に備え、前記溢れ水導出部材は、前記シール部材により前記保持部材との密閉状態を保持した状態で前記本体に対して回転可能に前記保持部材に接続されることが好ましい。
【００１２】
また、本発明は、ボウル部と、前記ボウル部に向けて水が吐出される吐水口と、前記吐水口に接続され、前記吐水口に向けて水が流通する吐水流路と、前記吐水流路を開閉可能な開閉機構と、前記吐水流路における前記開閉機構と前記吐水口との間に配置される前記バキュームブレーカと、を備える汚物流しユニットに関する。
【００１３】
また、水を受け入れる受入口を有するタンクと、前記導出口に接続されると共に、前記受入口に向けて延びる管状の第１溢れ水導出流路と、を備えることが好ましい。
【００１４】
また、電気温水器と、前記電気温水器の膨張水を排出する膨張水排出流路と、前記導出口から導出される溢れ水が流通する第２溢れ水導出流路と、前記膨張水排出流路を流通する膨張水と前記第２溢れ水導出流路を流通する溢れ水とが合流して流通する合流排出流路と、前記合流排出流路の下流側に接続される排水トラップと、を備えることが好ましい。
【発明の効果】
【００１５】
本発明によれば、溢れ水を外部に導出する導出口を有するバキュームブレーカにおいて、配置の自由度を向上できるバキュームブレーカを提供することができる。
【図面の簡単な説明】
【００１６】
【図１】本発明の第１実施形態に係る汚物流しユニット１を示す斜視図である。
【図２】本発明の第１実施形態のバキュームブレーカ４０を示す斜視図である。
【図３】本発明の第１実施形態のバキュームブレーカ４０を示す分解斜視図である。
【図４】本発明の第１実施形態のバキュームブレーカ４０を示す断面図であって、流路切換部材４４が第２位置に位置する場合を示す図である。
【図５】本発明の第１実施形態のバキュームブレーカ４０を示す断面図であって、流路切換部材４４が第１位置に位置する場合を示す図である。
【図６Ａ】本発明の第１実施形態の汚物流しユニット１において、洗浄水タンク３０の右側にバキュームブレーカ４０が配置される場合を示す側面図である。
【図６Ｂ】本発明の第１実施形態の汚物流しユニット１において、洗浄水タンク３０の右側にバキュームブレーカ４０が配置される場合を示す平面図である。
【図７Ａ】本発明の第１実施形態の変形形態であって、洗浄水タンク３０の左側にバキュームブレーカ４０が配置される場合を示す側面図である。
【図７Ｂ】本発明の第１実施形態の変形形態であって、洗浄水タンク３０の左側にバキュームブレーカ４０が配置される場合を示す平面図である。
【図８】本発明の第２実施形態に係る汚物流しユニット１Ａの配管構成を説明する図である。
【図９】本発明の第３実施形態に係る汚物流しユニット１Ｂの配管構成を説明する図である。
【発明を実施するための形態】
【００１７】
以下、本発明の汚物流しユニット１の好ましい各実施形態について、図面を参照しながら説明する。図１は、本発明の第１実施形態に係る汚物流しユニット１を示す斜視図である。なお、以下の説明において、左右の向きは、ライニング１０の前面１０ａに対面した場合における横方向の左右の向きであり、上下の向きは、鉛直方向に沿った上下の向きである。
【００１８】
図１に示すように、本実施形態の汚物流しユニット１は、箱状のライニング１０と、ボウル部２０と、洗浄水タンク３０と、バキュームブレーカ４０と、電気温水器５０と、吐水管６０と、操作ハンドル６５と、を備える。
ライニング１０は、ボウル部２０の後方に配置される。ライニング１０は、少なくとも前面１０ａ、側面１０ｂ及び上面１０ｃを有する箱状に構成される。
【００１９】
ライニング１０は、骨格を構成するフレーム部（図示せず）と、フレーム部に取り付けられる複数の板状部材１１と、巾木１２と、を含んで構成される。
複数の板状部材１１は、ライニング１０の前面１０ａを構成する前板１０１と、ライニング１０の側面１０ｂを構成する側板１０２と、ライニング１０の上面１０ｃを構成する甲板１０３と、により構成される。
巾木１２は、帯状の板部材により構成され、フレーム部の下部に、床面に沿うように取り付けられる。
【００２０】
ボウル部２０は、ライニング１０の前板１０１の前側かつ下方に配置される。ボウル部２０は、上方に開口する上部開口２０１を有する。ボウル部２０は、後述する吐水管６０の吐水口６１１から吐出された水を受ける。
【００２１】
洗浄水タンク３０は、図１に示すように、ライニング１０の内部であって、前板１０１の後方かつボウル部２０よりも上方に配置される。
洗浄水タンク３０は、タンク本体３１と、蓋部３２と、を備える。
タンク本体３１は、上面が開口した箱状に形成され、ボウル部２０を洗浄する洗浄水を貯留する。
蓋部３２は、タンク本体３１の上面に配置され、タンク本体３１の上面を覆う。この蓋部３２は、上方に開口した受入口としての排水導入開口３０１（図６Ａ、図６Ｂ、図７Ａ及び図７Ｂ参照）を有する。排水導入開口３０１は、洗浄水タンク３０の内部に水を受け入れる開口である。
【００２２】
電気温水器５０は、ライニング１０の内部の右側であって、前板１０１の後方かつ下方に配置される。電気温水器５０は、汚物流しユニット１に供給される水を加温する。なお、本実施形態においては、電気温水器５０により加温された水について、電気温水器５０の説明においては、湯という場合もあり、操作ハンドル６５やバキュームブレーカ４０や吐水管６０の説明においては、水という場合もある。
【００２３】
電気温水器５０は、ケーシング５１と、給水導入口５２と、給湯導出口５３と、給水導出口５４と、膨張水排出口５５と、貯湯部（図示せず）と、を備える。ケーシング５１の内部には、供給された水を加熱して湯として貯留する貯湯部（図示せず）などが配置される。
【００２４】
給水導入口５２は、電気温水器５０の内部に水を導入する。給水導入口５２には、止水栓（図示せず）を介して水道管に接続された給水導入ホース５２１が接続される。
給湯導出口５３は、電気温水器５０により加熱して貯留された湯を導出する。給湯導出口５３には、操作ハンドル６５（後述）の開閉機構６５１に接続された出湯ホース５３１が接続される。
【００２５】
給水導出口５４は、給水導入口５２から導入された水を、加熱せずに、水のままで導出する。給水導出口５４には、操作ハンドル６５（後述）の開閉機構６５１に接続された出水ホース５４１が接続される。
膨張水排出口５５は、加熱の際に生じる膨張水を、膨張水排出ホース５５１を介して、洗浄水タンク３０に排出する。膨張水排出口５５には、洗浄水タンク３０に接続された膨張水排出ホース５５１が接続される。洗浄水タンク３０に排出された膨張水は、蓋部３２の排水導入部を介して、洗浄水タンク３０の内部に導入されて貯留される。
【００２６】
吐水管６０は、吐水管固定用穴（図示せず）を介して、ボウル部２０の上方において、ライニング１０の前板１０１に取り付けられる。吐水管６０は、ライニング１０の前板１０１の前側において、前方側に配置される吐水管本体６１と、後方側に配置されライニング１０の前板１０１に接続されるガイド管６２と、を有する。
【００２７】
吐水管本体６１は、ボウル部２０に向けて水が吐出される部分であり、ガイド管６２から取り外し可能である。
吐水管本体６１の先端には、下方に向くように開口する吐水口６１１が形成される。吐水口６１１は、ボウル部２０に向けて水を吐出する。
吐水管本体６１は、後端側において、ライニング１０の内部から引き出し可能な吐水ホース６３に接続される。ガイド管６２は、ライニング１０の内部から引き出される吐水ホース６３をガイドする。
【００２８】
吐水ホース６３の吐水管本体６１とは反対側の端部には、ライニング１０の内部において、後述する操作ハンドル６５の開閉機構６５１が接続される。吐水ホース６３における吐水管６０と操作ハンドル６５の開閉機構６５１との間には、後述するバキュームブレーカ４０が設けられる。
【００２９】
吐水ホース６３の内部には、操作ハンドル６５が閉状態から開状態に操作されることで、電気温水器５０から導出された湯又は水が、操作ハンドル６５の開閉機構６５１から吐水口６１１に向けて流通する。吐水ホース６３は、吐水流路を構成する。吐水ホース６３は、例えば、フレキシブルな金属製のホースである。
【００３０】
操作ハンドル６５は、操作ハンドル固定用穴（図示せず）を介して、ボウル部２０の上方において、ライニング１０の前板１０１に取り付けられる。操作ハンドル６５の開閉機構６５１は、ライニング１０の前板１０１の裏側に配置され、操作ハンドル６５により操作される。
【００３１】
操作ハンドル６５の開閉機構６５１は、吐水ホース６３で構成される吐水流路を開閉する。つまり、操作ハンドル６５を操作することにより、開閉機構６５１が開閉され、吐出流路が開かれた状態と、吐出流路が閉じられた状態と、に切り換えることができる。また、操作ハンドル６５の開閉機構６５１の開閉において、吐出流路が開かれた状態には、完全に開かれた状態と、途中まで開かれた状態と、がある。
操作ハンドル６５の開閉機構６５１により吐水流路が開かれた場合又は途中まで開かれた場合には、開閉機構６５１の開状態の程度に応じて、吐水管６０の吐水口６１１から水量が調整された水が吐出される。開閉機構６５１により吐水流路が閉じられた場合には、吐水管６０の吐水口６１１から水が吐出されない。
【００３２】
バキュームブレーカ４０は、ライニング１０の内部であって、洗浄水タンク３０の右側に配置される。バキュームブレーカ４０は、吐水ホース６３で構成される吐水流路における操作ハンドル６５の開閉機構６５１と吐水口６１１との間に配置される。バキュームブレーカ４０は、給水時に水圧で吐水口６１１側に水を供給し、給水の上流側流路が負圧となったときに負圧を解消するために大気に開放するように構成されている。
【００３３】
次に、バキュームブレーカ４０の詳細について、図面を参照しながら説明する。図２は、本発明の第１実施形態のバキュームブレーカ４０を示す斜視図である。図３は、本発明の第１実施形態のバキュームブレーカ４０を示す分解斜視図である。図４は、本発明の第１実施形態のバキュームブレーカ４０を示す断面図であって、流路切換部材４４が第２位置に位置する場合を示す図である。図５は、本発明の第１実施形態のバキュームブレーカ４０を示す断面図であって、流路切換部材４４が第１位置に位置する場合を示す図である。図６Ａは、本発明の第１実施形態の汚物流しユニット１において、洗浄水タンク３０の右側にバキュームブレーカ４０が配置される場合を示す側面図である。図６Ｂは、本発明の第１実施形態の汚物流しユニット１において、洗浄水タンク３０の右側にバキュームブレーカ４０が配置される場合を示す平面図である。
【００３４】
バキュームブレーカ４０は、図２〜図５に示すように、本体４１と、流路切換部材４４と、保持部材としての溢れ水収容部材４５と、溢れ水導出部材４６と、蓋体４７と、を備える。
本体４１は、導入管４２と、分岐部材４３と、を有する。
【００３５】
導入管４２は、バキュームブレーカ４０の下部に配置される。導入管４２は、上下方向に延びて形成され、上下方向に貫通する管状に形成される。導入管４２は、導入口４２１と、導出口４２２と、を有する。
【００３６】
導入口４２１は、図３及び図４に示すように、導入管４２の下端部の内面に囲まれる部分であり、下方に開口する。導入口４２１には、開閉機構６５１（図１参照）が開かれるように操作ハンドル６５（図１参照）が操作されることで、電気温水器５０からの水が、導入される。導出口４２２は、導入管４２の上端部の内面に囲まれる部分であり、上方に開口する。導出口４２２からは、導入管４２の内部を流通する水が導出される。
【００３７】
導入管４２を貫通して上下方向に延びる内部空間は、図４に示すように、第１流路Ｒ１を構成する。第１流路Ｒ１は、上下方向に延びる。第１流路Ｒ１には、導入管４２の下方から上方に向けて水が流通する。つまり、第１流路Ｒ１には、導入口４２１から導入された水が導出口４２２へ向けて流通する。
【００３８】
導入管４２の上端面４２ａには、図３及び図４に示すように、切欠部４２３が形成される。切欠部４２３は、導入管４２の上端面４２ａから一部が窪む凹状に形成される。
【００３９】
導入管４２の外面には、図３及び図４に示すように、導入管フランジ部４２４と、導入管溝部４２５と、が形成されている。導入管フランジ部４２４は、導入管４２の上下方向の略中央において、導入管４２の外面から径方向に突出する略円板状に形成される。導入管溝部４２５は、導入管フランジ部４２４よりも上方において、導入管４２の外面において周方向の全域に亘って溝状に形成される。導入管溝部４２５には、第１Ｏリング７１が取り付けられている。
【００４０】
分岐部材４３は、図３及び図４に示すように、上下方向に延びて形成され、上下方向に貫通する筒状に形成されると共に、左側の側方に開口する。分岐部材４３は、導入管４２の上方側を外方から覆うように、導入管４２の上方において導入管４２に外挿される。分岐部材４３は、分岐部材４３と導入管４２との間に第１Ｏリング７１を配置した状態で、かつ、分岐部材４３の下端部が導入管４２の導入管フランジ部４２４の上面に当接した状態で、導入管４２に接続される。分岐部材４３は、導入管４２に対して回転しない状態で、導入管４２に接続される。
【００４１】
分岐部材４３は、図４に示すように、その上端面４３ａが導入管４２の上端面４２ａの位置よりも上方に位置するように形成されている。これにより、分岐部材４３の上端部には、導入管４２の上端面４２ａと分岐部材４３の上端面４３ａとの間において、後述する分岐部材上部開口部（開口部）４３２が形成される。
【００４２】
分岐部材４３は、図３及び図４に示すように、分岐部材下部開口部４３１と、分岐部材上部開口部４３２と、分岐部材側部開口部４３３と、を有する。
【００４３】
分岐部材下部開口部４３１は、分岐部材４３の下端部の内面で囲まれる部分であり、下方に開口する。分岐部材下部開口部４３１には、導入管４２の上方側が挿入される。
【００４４】
分岐部材上部開口部４３２は、第１流路Ｒ１の上方に形成される。分岐部材上部開口部４３２は、上述した通り、導入管４２の上端面４２ａと分岐部材４３の上端面４３ａとの間において、分岐部材４３の上端部の内面で囲まれる部分であり、上方に開口する。分岐部材上部開口部４３２は、段差形状に形成される。すなわち、分岐部材上部開口部４３２は、上端部に形成される大径開口部４３２ａと、大径開口部４３２ａの下方に連続して形成される大径開口部４３２ａよりも径が小さい小径開口部４３２ｂと、を有する。大径開口部４３２ａと小径開口部４３２ｂとの境界には、大径開口部４３２ａの外縁において、水平方向に環状に広がる段差面４３５が形成される。分岐部材上部開口部４３２には、後述する流路切換部材４４及び溢れ水収容部材４５の下部が配置される。
【００４５】
分岐部材側部開口部４３３は、分岐部材４３の上下方向の略中央において、分岐部材下部開口部４３１及び分岐部材上部開口部４３２に連通し、左側の側方に開口する。
分岐部材４３が導入管４２に取り付けられた状態において、導入管４２の上部の外面と分岐部材４３と導入管４２との間には、連通空間４３４が形成されている。分岐部材上部開口部４３２と連通空間４３４と分岐部材側部開口部４３３とは連通している。
【００４６】
分岐部材側部開口部４３３は、第２流路Ｒ２を構成する。第２流路Ｒ２は、第１流路Ｒ１の上方において第１流路Ｒ１に交差する略水平方向の左側に延びる。第２流路Ｒ２には、第１流路Ｒ１を流通して導入管４２の導出口４２２から導出された水が、連通空間４３４を通って、流通する。
【００４７】
流路切換部材４４は、図３及び図４に示すように、分岐部材４３の分岐部材上部開口部４３２に配置される。流路切換部材４４は、導入管４２の上端面４３ａよりも上方に配置される。流路切換部材４４は、円板状の円板状底部４４１と、円板状底部４４１から上方に立ち上げられた平面視で十字状の立上十字状部４４２と、を有する。流路切換部材４４は、円板状底部４４１及び立上十字状部４４２が、この順に、下方から上方に、連続して形成される。円板状底部４４１の外径の大きさは、導入管４２の上端部の外径よりも大きい。流路切換部材４４は、例えば、樹脂材料により形成される。
【００４８】
流路切換部材４４は、第１位置（図５参照）と第２位置（図４参照）との間を移動可能に、分岐部材４３の分岐部材上部開口部４３２に配置された状態で、溢れ水収容部材４５（後述）により保持される。
【００４９】
流路切換部材４４の第１位置は、操作ハンドル６５の開閉機構６５１により吐出流路が完全に開かれた場合において、流路切換部材４４が配置される位置である。
流路切換部材４４の第１位置は、図５に示すように、流路切換部材４４が第１流路Ｒ１を流通される水の水圧により押圧されて、流路切換部材４４の円板状底部４４１の上面の外縁部が、溢れ水収容部材４５（後述）の溢れ水導入開口部４５３（後述）の周縁部に当接する位置である。流路切換部材４４における第１位置は、第１流路Ｒ１と第２流路Ｒ２とを連通し、且つ、分岐部材上部開口部４３２を閉鎖する。流路切換部材４４における第１位置においては、第１流路Ｒ１と第２流路Ｒ２とが連通し、且つ、分岐部材上部開口部４３２を閉鎖することで、第１流路Ｒ１から第２流路Ｒ２へ水が流通する。
【００５０】
流路切換部材４４の第２位置は、操作ハンドル６５の開閉機構６５１により吐出流路が閉じられた場合において、流路切換部材４４が配置される位置である。
流路切換部材４４の第２位置は、図４に示すように、流路切換部材４４の第１位置よりも下方の位置である。流路切換部材４４の第２位置は、流路切換部材４４の円板状底部４４１の上面の外縁部が、溢れ水収容部材４５（後述）の溢れ水導入開口部４５３（後述）の周縁部から離間し、且つ、流路切換部材４４の下端部が導入管４２の上端面４２ａに当接している位置である。流路切換部材４４における第２位置においては、第１流路Ｒ１と第２流路Ｒ２との水の流通を遮断し、且つ、第１流路Ｒ１が分岐部材４３の分岐部材上部開口部４３２及び切欠部４２３を介して大気に開放される。これにより、第１流路Ｒ１が負圧であっても、第１流路Ｒ１には外部から空気が導入され、第１流路Ｒ１の負圧が解消される。
なお、流路切換部材４４が第２位置に位置する場合において、第１流路Ｒ１が大気に開放される構成の詳細については、後述する。
【００５１】
流路切換部材４４における第１位置と第２位置との間の位置は、操作ハンドル６５の開閉機構６５１により吐出流路が途中まで開かれた場合において、流路切換部材４４が配置される位置である。
流路切換部材４４が第１位置（図５参照）と第２位置（図４参照）との間の位置に位置する場合には、流路切換部材４４は、導入管４２と溢れ水収容部材４５（後述）との間に位置し、導入管４２の上端面４２ａ及び溢れ水収容部材４５（後述）の下端部から離間している。この場合には、第１流路Ｒ１と第２流路Ｒ２と溢れ水導入開口部４５３（後述）とは、連通している。そのため、流路切換部材４４が第１位置と第２位置との間の位置に位置する場合には、第１流路Ｒ１から第２流路Ｒ２に向けて流通される水のうち、流路切換部材４４と溢れ水収容部材４５の溢れ水導入開口部４５３との間の隙間を通して溢れる溢れ水が、溢れ水収容空間４５１（後述）に向けて流通される。
【００５２】
溢れ水収容部材４５は、図３及び図４に示すように、上下方向に貫通する筒状に形成される。溢れ水収容部材４５の下部は、分岐部材４３の分岐部材上部開口部４３２に流路切換部材４４を配置した状態で、流路切換部材４４を第１位置と第２位置との間に移動可能な状態で保持するように、分岐部材４３の分岐部材上部開口部４３２に挿入される。
【００５３】
溢れ水収容部材４５は、溢れ水収容部材４５と分岐部材４３との間に第２Ｏリング７２（後述）を配置した状態で、かつ、溢れ水収容部材４５の収容部材フランジ部４５４（後述）の下端面が分岐部材４３の段差面４３５に当接した状態で、分岐部材４３に接続される。溢れ水収容部材４５は、分岐部材４３に対して回転しない状態で、分岐部材４３に接続される。
【００５４】
溢れ水収容部材４５は、流路切換部材４４を第１位置と第２位置との間を移動可能に、流路切換部材４４を保持する。溢れ水収容部材４５の下部には、第１流路Ｒ１の上方において、溢れ水収容空間４５１に連通する溢れ水導入開口部４５３が形成される。
【００５５】
溢れ水導入開口部４５３は、溢れ水収容部材４５の下部に形成され、下方に開口する。溢れ水収容部材４５の下部は、分岐部材４３の分岐部材上部開口部４３２に配置されている。溢れ水導入開口部４５３には、流路切換部材４４が、第１位置と第２位置との間を上下方向に移動可能な状態で配置される。
【００５６】
溢れ水導入開口部４５３は、上方側に形成されると共に溢れ水収容空間４５１の径よりも径が小さい円筒状の上部筒状開口部４５３ａと、下方に向かうに従って径が大きくなる円錐状の円錐開口部４５３ｂと、下方側に形成されると共に上部筒状開口部４５３ａの径よりも径が大きい円筒状の下部筒状開口部４５３ｃと、が、上方から下方に向けて、この順で、連続して形成される。溢れ水導入開口部４５３の上部筒状開口部４５３ａの径の大きさは、流路切換部材４４が上下方向に移動可能となるように、流路切換部材４４の立上十字状部４４２の外径と同等であるか又は立上十字状部４４２の外径よりも僅かに大きい。
【００５７】
溢れ水収容部材４５の上方には、溢れ水収容空間４５１が形成される。溢れ水収容空間４５１は、溢れ水導入開口部４５３と連通する。溢れ水収容空間４５１は、溢れ水収容部材４５の上端部の内面に囲まれる部分であり、上方に開放した筒状の空間である。溢れ水収容空間４５１は、第１流路Ｒ１から第２流路Ｒ２に向けて流通される水のうち、流路切換部材４４と溢れ水導入開口部４５３との間の隙間を通して溢れる溢れ水を、収容可能である。
【００５８】
溢れ水収容部材４５には、所定高さにおいて、互いに対向して略水平方向に貫通する一対の溢れ水連通孔４５２が形成されている。一対の溢れ水連通孔４５２は、溢れ水収容空間４５１と溢れ水導出部材４６（後述）との内部とを連通させる。一対の溢れ水連通孔４５２は、溢れ水収容空間４５１に収容された溢れ水が一対の溢れ水連通孔４５２の高さまで上昇した場合に、溢れ水収容空間４５１に収容された溢れ水を、溢れ水導出部材４６（後述）側に通過させる。
【００５９】
溢れ水収容部材４５の外面には、収容部材フランジ部４５４と、第１収容部材溝部４５５と、第２収容部材溝部４５６と、が形成されている。
収容部材フランジ部４５４は、溢れ水収容部材４５の下方において、溢れ水収容部材４５の外面から径方向に突出する略円板状に形成される。
第１収容部材溝部４５５は、収容部材フランジ部４５４よりも下方において、溢れ水収容部材４５の外面において周方向の全域に亘って溝状に形成される。第１収容部材溝部４５５には、第２Ｏリング７２が取り付けられている。
【００６０】
第２収容部材溝部４５６は、収容部材フランジ部４５４よりも上方において、溢れ水収容部材４５の外面において周方向の全域に亘って溝状に形成される。第２収容部材溝部４５６は、第１収容部材溝部４５５よりも幅が広く且つ窪みの深さが深い溝状に形成される。第２収容部材溝部４５６には、第２Ｏリング７２よりも太い第３Ｏリング７３（シール部材）が取り付けられている。
【００６１】
溢れ水収容部材４５の上端部には、後述する蓋体４７が取り付けられる。溢れ水収容部材４５の上端部の内周面には、収容部材ネジ部４５７が形成される。溢れ水収容部材４５の収容部材ネジ部４５７は、後述する蓋体４７の下端部の外周面に形成される蓋体ネジ部４７３に螺合している。これにより、溢れ水収容部材４５の上端部には、後述する溢れ水導出部材４６が溢れ水収容部材４５に取り付けられた状態で、後述する蓋体４７が接続される。
【００６２】
溢れ水導出部材４６は、図３及び図４に示すように、上下方向に延びて形成され、上下方向に貫通する筒状に形成されると共に、左側の側方に開口する。溢れ水導出部材４６は、溢れ水収容部材４５の上部を外方から覆うように、溢れ水収容部材４５の上部において溢れ水収容部材４５に外挿される。溢れ水導出部材４６は、溢れ水導出部材４６と溢れ水収容部材４５との間に第３Ｏリング７３（シール部材）を配置した状態で、かつ、溢れ水導出部材４６の下端部が溢れ水収容部材４５の収容部材フランジ部４５４に当接した状態で、回転可能に、溢れ水収容部材４５に接続される。
【００６３】
具体的には、溢れ水導出部材４６は、第３Ｏリング７３により溢れ水収容部材４５との密閉状態を保持した状態で、本体４１（導入管４２及び分岐部材４３）に対して回転可能に、溢れ水収容部材４５に接続される（取り付けられる）。
【００６４】
詳細には、第３Ｏリング７３は、溢れ水導出部材４６が溢れ水収容部材４５に対して回転可能な太さで、かつ、溢れ水収容部材４５との密閉状態を保持する太さで形成された状態で、溢れ水導出部材４６と溢れ水収容部材４５との間において、第２収容部材溝部４５６に配置される。このように、溢れ水導出部材４６は、第３Ｏリング７３を介して、溢れ水収容部材４５に対して回転可能に取り付けられている。ここで、溢れ水収容部材４５は、本体４１（導入管４２及び分岐部材４３）に対して回転しない。そのため、溢れ水導出部材４６は、第３Ｏリング７３を介して、本体４１（導入管４２及び分岐部材４３）に対して回転可能である。
【００６５】
溢れ水導出部材４６は、図３及び図４に示すように、導出上部筒状部４６１と、導出中間筒状部４６２と、導出下部筒状部４６３と、を備える。導出上部筒状部４６１、導出中間筒状部４６２及び導出下部筒状部４６３は、この順に、上方から下方に、連続して形成される。
【００６６】
導出上部筒状部４６１は、溢れ水導出部材４６の上端部に配置され、円筒形状に形成される。
導出中間筒状部４６２は、導出上部筒状部４６１の下端部に連続して形成され、導出上部筒状部４６１の径よりも大きい径の円筒形状から右側の部分を直線状に切断した形状に形成される。
導出下部筒状部４６３は、導出中間筒状部４６２の下端部に連続して形成され、溢れ水導出部材４６の下端部に配置される。導出下部筒状部４６３は、導出上部筒状部４６１と同じ径の円筒形状に形成される。
【００６７】
溢れ水導出部材４６は、図４に示すように、溢れ水導出部材４６が溢れ水収容部材４５に取り付けられた状態において、溢れ水導出部材４６の上端面４６ａが溢れ水収容部材４５の上端面４５ａの位置よりも上方に位置するように形成されている。また、溢れ水導出部材４６が溢れ水収容部材４５に取り付けられた状態において、溢れ水収容部材４５の上端部において、溢れ水収容部材４５の外面と溢れ水導出部材４６の内面との間には、隙間が形成されている。
【００６８】
溢れ水導出部材４６は、導出部材上部開口部４６４と、導出部材下部開口部４６５と、導出口としての導出開口部４６６と、を有する。導出部材上部開口部４６４、導出部材下部開口部４６５及び導出開口部４６６は、連通する。
【００６９】
導出部材上部開口部４６４は、導出上部筒状部４６１の内面で囲まれる部分であり、上方に開口する。導出部材上部開口部４６４には、蓋体４７が挿入される。
導出部材下部開口部４６５は、導出下部筒状部４６３の内面で囲まれる部分であり、下方に開口する。導出部材下部開口部４６５には、溢れ水収容部材４５が挿入される。
【００７０】
導出開口部４６６は、導出中間筒状部４６２の側部に形成され、左側の側方に開口する。導出開口部４６６は、溢れ水導出部材４６が溢れ水収容部材４５に取り付けられた状態において、溢れ水収容部材４５の一対の溢れ水連通孔４５２を介して、溢れ水収容部材４５の溢れ水収容空間４５１に連通し、溢れ水収容空間４５１に収容された溢れ水を外部に導出する。
【００７１】
蓋体４７は、溢れ水導出部材４６の上端部の外径よりも水平方向に広い略円板状の天板４７１と、天板４７１から下方に延びる筒状部材４７２と、を有する。筒状部材４７２の下端部の外周面には、蓋体ネジ部４７３が形成される。
【００７２】
蓋体４７は、溢れ水導出部材４６が溢れ水収容部材４５に対して回転可能に取り付けられた状態で、溢れ水収容部材４５に取り付けられる。蓋体４７は、蓋体４７の蓋体ネジ部４７３を溢れ水収容部材４５の上端部の内周面に形成される収容部材ネジ部４５７に螺合することで、溢れ水収容部材４５に取り付けられる。
【００７３】
蓋体４７が溢れ水収容部材４５に取り付けられた状態において、上下方向における蓋体４７の天板４７１の外縁部と溢れ水収容部材４５の収容部材フランジ部４５４との間には、溢れ水導出部材４６が回転可能に配置される。ここで、天板４７１が溢れ水導出部材４６の上端部の外径よりも水平方向に広い略円板状に形成されるため、蓋体４７の天板４７１の外縁部は、溢れ水導出部材４６の上方への移動を規制する。よって、蓋体４７を溢れ水収容部材４５に取り付けることにより、溢れ水導出部材４６は、溢れ水収容部材４５から外れることが抑制される。
【００７４】
また、蓋体４７が溢れ水収容部材４５に取り付けられた状態において、溢れ水導出部材４６の上端部の内面と蓋体４７の筒状部材４７２の外面との間には、隙間が形成されている。また、溢れ水導出部材４６の上端面４６ａと蓋体４７の天板４７１の下面との間には、外部に連通する隙間が形成されている。このため、溢れ水導出部材４６と蓋体４７との間の隙間は、外部と連通する。
【００７５】
このように構成されるバキュームブレーカ４０において、流路切換部材４４が第２位置に位置する場合において、第１流路Ｒ１が大気に開放される構成の詳細について説明する。
流路切換部材４４の第２位置は、図４に示すように、流路切換部材４４の円板状底部４４１の上面の外縁部が、溢れ水収容部材４５の溢れ水導入開口部４５３の周縁部から離間し、且つ、流路切換部材４４の下端部が導入管４２の上端部に当接している位置である。
【００７６】
この場合において、図４に示すように、溢れ水導出部材４６と蓋体４７との間には、外部と連通する隙間が形成されている。溢れ水導出部材４６と蓋体４７との間の隙間は、溢れ水収容部材４５と溢れ水導出部材４６との間の隙間に連通する。溢れ水収容部材４５と溢れ水導出部材４６との間の隙間は、一対の溢れ水連通孔４５２に連通する。一対の溢れ水連通孔４５２は、溢れ水収容部材４５の溢れ水収容空間４５１に連通する。溢れ水収容部材４５の溢れ水収容空間４５１は、流路切換部材４４と溢れ水収容部材４５の溢れ水導入開口部４５３との間の隙間に連通する。流路切換部材４４と溢れ水収容部材４５の溢れ水導入開口部４５３との間の隙間は、導入管４２の上端面４２ａに形成される切欠部４２３に連通して、第１流路Ｒ１に連通する。
【００７７】
そのため、流路切換部材４４が第２位置に位置する場合には、第１流路Ｒ１には、外部からの空気が、溢れ水導出部材４６と蓋体４７との隙間、溢れ水収容部材４５と溢れ水導出部材４６との間の隙間、溢れ水収容部材４５の一対の溢れ水連通孔４５２、溢れ水収容部材４５の溢れ水収容空間４５１、流路切換部材４４と溢れ水収容部材４５の溢れ水導入開口部４５３との間の隙間、及び、切欠部４２３を通って、吸引可能となる。これにより、流路切換部材４４が第２位置に位置する場合には、第１流路Ｒ１は、大気に開放される。
【００７８】
以上のように構成される第１実施形態のバキュームブレーカ４０において、溢れ水を外部に導出する導出開口部４６６には、図４に示すように、溢れ水導出流路としての溢れ水導出流路管８０が接続されている。溢れ水導出流路管８０は、接続管８１と、導出流路管本体８２と、からなる。溢れ水導出流路管８０は、直線状に延びる管状に形成される。導出開口部４６６と溢れ水導出流路管８０との間には、第４Ｏリング７４が配置されている。
【００７９】
第１実施形態のバキュームブレーカ４０は、図６Ａ及び図６Ｂに示すように、洗浄水タンク３０の右側に配置されている。導出開口部４６６に接続された溢れ水導出流路管８０は、洗浄水タンク３０の排水導入開口３０１に向けて直線状に延びる。
ここで、溢れ水導出部材４６が回転可能に構成されるため、バキュームブレーカ４０の溢れ水導出部材４６を回転させることで、溢れ水を外部に導出する導出開口部４６６の向きを洗浄水タンク３０に向くように配置できる。そのため、バキュームブレーカ４０の配置の自由度を向上できる。
【００８０】
また、溢れ水導出流路管８０は、洗浄水タンク３０の上方に溢れ水排出開口部８０１が位置し、導出開口部４６６から溢れ水排出開口部８０１に向けて下り傾斜になるように直線状に延びている。そのため、導出開口部４６６から排出される溢れ水を、洗浄水タンク３０に、確実に排出することができる。
【００８１】
なお、図７Ａ及び図７Ｂに示すように、汚物流しユニット１の製品仕様等により、バキュームブレーカ４０が、洗浄水タンク３０の左側に配置される場合もある。図７Ａは、本発明の第１実施形態の変形形態であって、洗浄水タンク３０の左側にバキュームブレーカ４０が配置される場合を示す側面図である。図７Ｂは、本発明の第１実施形態の変形形態であって、洗浄水タンク３０の左側にバキュームブレーカ４０が配置される場合を示す平面図である。
【００８２】
図７Ａ及び図７Ｂに示すように、バキュームブレーカ４０が洗浄水タンク３０の左側に配置される場合において、溢れ水導出部材４６が回転可能に構成される。そのため、溢れ水導出部材４６を回転させることで、溢れ水を外部に導出する導出開口部４６６の向きを洗浄水タンク３０に向くように配置できる。従って、バキュームブレーカ４０の配置の自由度を向上できる。
【００８３】
次に、上記のように構成されるバキュームブレーカ４０の動作について説明する。
操作ハンドル６５の開閉機構６５１が閉じているときには、流路切換部材４４は、第２位置に位置している。図４に示すように、流路切換部材４４における第２位置は、流路切換部材４４の円板状底部４４１の上面の外縁部が、溢れ水収容部材４５の溢れ水導入開口部４５３の周縁部から離間し、且つ、流路切換部材４４の下端部が導入管４２の上端面４２ａに当接している位置である。この状態では、第１流路Ｒ１は、分岐部材４３の分岐部材上部開口部４３２及び切欠部４２３を介して大気に開放される。
【００８４】
具体的には、流路切換部材４４が第２位置に位置する場合において、第１流路Ｒ１は、切欠部４２３、流路切換部材４４と溢れ水収容部材４５の溢れ水導入開口部４５３との間の隙間、溢れ水収容部材４５の溢れ水収容空間４５１、溢れ水収容部材４５の一対の溢れ水連通孔４５２、溢れ水収容部材４５と溢れ水導出部材４６との間の隙間、及び、溢れ水導出部材４６と蓋体４７との隙間を介して、大気に開放される。
【００８５】
また、操作ハンドル６５の開閉機構６５１が全部開かれたときには、流路切換部材４４は、第１位置に位置している。図５に示すように、流路切換部材４４における第１位置は、流路切換部材４４が第１流路Ｒ１を流通される水の水圧により押圧されて、流路切換部材４４の円板状底部４４１の上面の外縁部が、溢れ水収容部材４５の溢れ水導入開口部４５３の周縁部に当接する位置である。この状態では、第１流路Ｒ１と第２流路Ｒ２とが連通し、且つ、分岐部材上部開口部４３２を閉鎖することで、導入管４２に導入された水は、第１流路Ｒ１から連通空間４３４を介して第２流路Ｒ２へ流通する。
【００８６】
また、操作ハンドル６５の開閉機構６５１が途中まで開かれたときには、流路切換部材４４は、第１位置と第２位置との間の位置に位置している。流路切換部材４４における第１位置と第２位置との間の位置は、導入管４２と溢れ水収容部材４５との間に流路切換部材４４が位置し、導入管４２の上端部及び溢れ水収容部材４５の下端部から流路切換部材４４が離間する位置である。
【００８７】
流路切換部材４４が第１位置と第２位置との間の位置に位置する場合には、第１流路Ｒ１と第２流路Ｒ２と溢れ水導入開口部４５３とが連通している。そのため、流路切換部材４４が第１位置と第２位置との間に位置する場合には、第１流路Ｒ１から第２流路Ｒ２に向けて流通される水のうち、流路切換部材４４と溢れ水収容部材４５の溢れ水導入開口部４５３との間の隙間を通して溢れる溢れ水は、溢れ水収容空間４５１に向けて流通されて、溢れ水収容空間４５１に収容される。
【００８８】
そして、溢れ水収容空間４５１に収容された溢れ水は、一対の溢れ水連通孔４５２を通り、溢れ水収容部材４５と溢れ水導出部材４６との間の空間を通り、導出開口部４６６から排出される。
導出開口部４６６から排出された溢れ水は、図６Ａ及び図６Ｂに示すように、溢れ水導出流路管８０を通って、洗浄水タンク３０に排出される。
【００８９】
ここで、吐水口６１１がボウル部２０の水中に水没した状態で、且つ、操作ハンドル６５の開閉機構６５１が開かれた状態で、第１流路Ｒ１の上流で配管工事が行われたとする。第１流路Ｒ１の上流で配管工事が行われた場合に、第１流路Ｒ１が負圧になることがある。このような場合に、操作ハンドル６５の開閉機構６５１が途中まで開かれていると、従来のようにバキュームブレーカを備えていない場合には、ボウル部２０に貯留された水が、第１流路Ｒ１の負圧により吐水口６１１から第１流路Ｒ１に吸い込まれてしまう（逆流する）ことがあった。
【００９０】
しかしながら、バキュームブレーカ４０を備える本発明においては、吐水口６１１がボウル部２０の水中に水没した状態で、且つ、操作ハンドル６５の開閉機構６５１が途中まで開かれた状態で、第１流路Ｒ１が負圧になった場合において、流路切換部材４４は、第１流路Ｒ１の負圧により、第１位置と第２位置との間の位置から、第２位置に移動する。
【００９１】
ここで、流路切換部材４４が第２位置（図４参照）に位置する場合には、第１流路Ｒ１は、大気に開放される。具体的には、第１流路Ｒ１は、切欠部４２３、流路切換部材４４と溢れ水収容部材４５の溢れ水導入開口部４５３との間の隙間、溢れ水収容部材４５の溢れ水収容空間４５１、溢れ水収容部材４５の一対の溢れ水連通孔４５２、溢れ水収容部材４５と溢れ水導出部材４６との間の隙間、及び、溢れ水導出部材４６と蓋体４７との隙間を介して、大気に開放される。
【００９２】
そのため、第１流路Ｒ１が負圧になった場合に、第１流路Ｒ１は外部の空気を吸引して、第１流路Ｒ１の負圧が解消される。その結果、ボウル部２０に貯留された水が、吐水口６１１から第１流路Ｒ１に吸い込まれてしまうことはない（逆流しない）。
【００９３】
以上説明した第１実施形態のバキュームブレーカ４０及び汚物流しユニット１によれば、以下のような効果を奏する。
本実施形態のバキュームブレーカ４０は、上下方向に延びる第１流路Ｒ１と、第１流路Ｒ１に交差する方向に延びる第２流路Ｒ２と、第１流路Ｒ１の上方に形成される分岐部材上部開口部４３２と、を有する本体４１と、第１流路Ｒ１と第２流路Ｒ２とを連通し且つ分岐部材上部開口部４３２を閉鎖する第１位置と、第１流路Ｒ１が分岐部材上部開口部４３２を介して大気に開放される第２位置と、の間を移動可能な流路切換部材４４と、流路切換部材４４を第１位置と第２位置との間を移動可能に保持する溢れ水収容部材４５と、流路切換部材４４と分岐部材上部開口部４３２との間の隙間を通して溢れる溢れ水を外部に導出する導出開口部４６６を有し、本体４１に対して回転可能に溢れ水収容部材４５に取り付けられる溢れ水導出部材４６と、を備える。
【００９４】
そのため、溢れ水導出部材４６を回転させることで、導出開口部４６６の向きを変更することができる。従って、バキュームブレーカ４０の配置の自由度を向上できる。また、メンテナンス等で溢れ水導出流路管８０が邪魔になったときにも、簡単によけることができる。
【００９５】
また、本実施形態においては、溢れ水収容部材４５と溢れ水導出部材４６との間に配置される第３Ｏリング７３を更に備え、溢れ水導出部材４６は、第３Ｏリング７３により溢れ水収容部材４５との密閉状態を保持した状態で本体４１に対して回転可能に溢れ水収容部材４５に接続される。これにより、溢れ水収容部材４５と溢れ水導出部材４６との間に第３Ｏリング７３を配置するだけで、溢れ水導出部材４６を、例えば、ネジ部材などの機構を使用しなくても、第３Ｏリング７３により溢れ水収容部材４５との密閉状態を保持した状態で、本体４１に対して回転可能に、簡単に、着脱することができる。従って、溢れ水導出部材４６を簡単に着脱することができるため、バキュームブレーカ４０のメンテナンス性を向上できる。
【００９６】
また、本実施形態の汚物流しユニット１は、吐水ホース６３で構成される吐水流路において、操作ハンドル６５の開閉機構６５１と吐水口６１１との間に配置されるバキュームブレーカ４０を備える。そのため、吐水口６１１からの水の逆流を抑制できる。
【００９７】
また、本実施形態においては、水を受け入れる排水導入開口３０１を有する洗浄水タンク３０と、導出開口部４６６に接続されると共に、排水導入開口３０１に向けて延びる管状の溢れ水導出流路管８０と、を備える。そのため、導出開口部４６６に、排水導入開口３０１に向けて延びる管状の溢れ水導出流路管８０を接続することで、導出開口部４６６から排出される溢れ水を、洗浄水タンク３０に、確実に排出することができる。
【００９８】
次に、第２実施形態に係る汚物流しユニット１Ａについて説明する。図８は、本発明の第２実施形態に係る汚物流しユニット１Ａの配管構成を説明する図である。
第２実施形態の汚物流しユニット１Ａは、第１実施形態に係る汚物流しユニット１と比べて、主に、バキュームブレーカ４０Ａから導出される溢れ水を排出する構成が異なる。第２実施形態の説明にあたって、第１実施形態の構成と同一の構成については同一符号を付し、その説明を省略もしくは簡略化する。
【００９９】
第２実施形態の汚物流しユニット１Ａは、図８に示すように、主に、バキュームブレーカ４０Ａと、電気温水器５０Ａと、排水トラップ９０と、を備える。
バキュームブレーカ４０Ａの導出開口部４６６は、第２溢れ水導出流路としての第１ゴムホース９０１を介して、三方継手９１の第１接続口９１１に接続されている。第１ゴムホース９０１は、導出開口部４６６と三方継手９１の第１接続口９１１とを接続する。第１ゴムホース９０１には、導出開口部４６６から導出される溢れ水が流通する。
【０１００】
電気温水器５０Ａの膨張水排出口５５は、膨張水排出流路としての第２ゴムホース９０２を介して、三方継手９１の第２接続口９１２に接続されている。第２ゴムホース９０２は、膨張水排出口５５と三方継手９１の第２接続口９１２とを接続する。第２ゴムホース９０２には、電気温水器５０Ａから排出された膨張水が流通する。
【０１０１】
三方継手９１の第３接続口９１３は、合流排出流路としての第３ゴムホース９０３を介して、排水トラップ９０に接続されている。第３ゴムホース９０３は、三方継手９１の第３接続口９１３と排水トラップ９０とを接続する。第３ゴムホース９０３には、三方継手９１を介して、第２ゴムホース９０２を流通する膨張水と第１ゴムホース９０１を流通する溢れ水とが合流して流通する。
排水トラップ９０の入口は、第３ゴムホース９０３の下流側の端部に接続されている。排水トラップ９０の出口は、下水管９３に接続されている。
【０１０２】
このように構成される第２実施形態の汚物流しユニット１Ａにおいては、バキュームブレーカ４０Ａの導出開口部４６６から導出された溢れ水と電気温水器５０Ａから排出された膨張水とは、三方継手９１を介して合流される。三方継手９１で合流された溢れ水及び膨張水は、排水トラップ９０に向けて排出され、排水トラップ９０を通り、下水管９３に排出される。排水トラップ９０においては、排水トラップ９０の封水部に溜められる封水により、排水トラップ９０の下流側に接続された下水管９３の内部の臭気が上昇して室内に入り込むことが防止される。
【０１０３】
第２実施形態の汚物流しユニット１Ａにおいても、第１実施形態と同様の効果を得ることができる。つまり、バキュームブレーカ４０Ａの溢れ水と電気温水器５０Ａの膨張水とを合流させて排出する構成においても、バキュームブレーカ４０Ａの配置の自由度を向上できる。
【０１０４】
次に、第３実施形態に係る汚物流しユニット１Ｂについて説明する。図９は、本発明の第３実施形態に係る汚物流しユニット１Ｂの配管構成を説明する図である。
第３実施形態の汚物流しユニット１Ｂは、第１実施形態及び第２実施形態に係る汚物流しユニット１，１Ａと比べて、主に、バキュームブレーカ４０Ｂから導出される溢れ水を排出する構成が異なる。第３実施形態の説明にあたって、第１実施形態の構成と同一の構成については同一符号を付し、その説明を省略もしくは簡略化する。
【０１０５】
第３実施形態の汚物流しユニット１Ｂは、図９に示すように、主に、バキュームブレーカ４０Ｂと、溢れ水排出金具９４と、を備える。
バキュームブレーカ４０Ｂの溢れ水の導出開口部４６６は、第４ゴムホース９０４を介して、溢れ水排出金具９４に接続されている。第４ゴムホース９０４は、導出開口部４６６と溢れ水排出金具９４とを接続する。
溢れ水排出金具９４は、例えば、図１における汚物流しユニット１において、溢れ水排出金具固定用穴（図示せず）を介して、ボウル部２０の上方において、図９に示すように、ライニング１０の前板１０１に取り付けられる。
このように構成される第３実施形態の汚物流しユニット１Ｂにおいては、バキュームブレーカ４０の導出開口部４６６から導出された溢れ水をボウル部２０に排出することができる。
【０１０６】
第３実施形態の汚物流しユニット１Ｂにおいても、第１実施形態と同様の効果を得ることができる。つまり、バキュームブレーカ４０Ｂの溢れ水をボウル部２０に排出する構成においても、バキュームブレーカ４０Ｂの配置の自由度を向上できる。
【０１０７】
以上、本発明のバキュームブレーカの好ましい実施形態について説明したが、本発明は、上述した実施形態に制限されるものではなく、適宜変更が可能である。
例えば、前記実施形態においては、バキュームブレーカを汚物流しユニットに適用したものについて説明したが、これに限られず、バキュームブレーカを汚物流しユニットとは異なる種類の流しユニットに適用してもよい。
【０１０８】
また、前記第１実施形態においては、バキュームブレーカの溢れ水を洗浄水タンク３０に排出するように構成したが、これに限られず、バキュームブレーカの溢れ水を洗浄水タンクではない他のタンクに排出するように構成してもよい。
【０１０９】
また、前記実施形態においては、バキュームブレーカ４０を、洗浄水タンク３０の右側又は左側に配置したが、これに限られず、洗浄水タンク３０の前側や後ろ側に配置してもよい。
【０１１０】
また、前記実施形態においては、溢れ水導出部材４６を、溢れ水収容部材４５に取り付けたが、これに限られず、本体４１（導入管４２、分岐部材４３）に取り付けてもよい。
【符号の説明】
【０１１１】
１  汚物流しユニット
２０  ボウル部
３０  洗浄水タンク（タンク）
４０  バキュームブレーカ
４１  本体
４４  流路切換部材
４５  溢れ水収容部材（保持部材）
４６  溢れ水導出部材
５０  電気温水器
７３  第３Ｏリング（シール部材）
８０  溢れ水導出流路管（第１溢れ水導出流路）
９０  排水トラップ
３０１  排水導入開口（受入口）
４３２  分岐部材上部開口部（開口部）
４５１  溢れ水収容空間
４６６  導出開口部（導出口）
６１１  吐出口
６５１  開閉機構
９０１  第１ゴムホース（第２溢れ水導出流路）
９０２  第２ゴムホース（膨張水排出流路）
９０３  第３ゴムホース（合流排出流路）
Ｒ１  第１流路
Ｒ２  第２流路
【図１】
0006456706.tif 000002
【図２】
0006456706.tif 000003
【図３】
0006456706.tif 000004
【図４】
0006456706.tif 000005
【図５】
0006456706.tif 000006
【図６Ａ】
0006456706.tif 000007
【図６Ｂ】
0006456706.tif 000008
【図７Ａ】
0006456706.tif 000009
【図７Ｂ】
0006456706.tif 000010
【図８】
0006456706.tif 000011
【図９】
0006456706.tif 000012